(57)【要約】【課題】  支持受け金具が邪魔にならず組立が容易で、鉄筋の仮組み施工の時間短縮によるコストダウンが図れる鉄筋仮組治具の支持受け装置を得ること。【解決手段】  支持受け金具を回動可能に複数枢着した仮組治具体を所用数配設してなる仮組治具に於いて、該支持受け金具が支持状態から回動して反転状態で保持できるように、仮組治具体又は支持受け金具の少なくともどちらか一方に任意に保持解除ができる保持手段を設け、該保持手段を磁石としている。【選択図】図１
0003132735.tif 000002
【実用新案登録請求の範囲】
【請求項１】
支持受け金具を回動可能に複数枢着した仮組治具体を所用数配設してなる仮組治具に於いて、該支持受け金具が支持状態から回動して反転状態で保持できるように、仮組治具体又は支持受け金具の少なくともどちらか一方に任意に保持解除ができる保持手段を設けたことを特徴とする鉄筋仮組治具の支持受け装置。
【請求項２】
保持手段を磁石としたことを特徴とする請求項１記載の鉄筋仮組治具の支持受け装置。
【考案の詳細な説明】
【技術分野】
【０００１】  本考案は、大型柱状構造物の鉄筋組立を帯筋等の鉄筋で仮組する仮組み用治具の支持受け装置に関する。
【背景技術】
【０００２】  従来の大型鉄筋コンクリート構造物として、例えば高速道路の橋脚などの柱状構造物の鉄筋組立は、柱状構造物の外縁近傍部に沿って複数の縦筋を所定間隔で施工し、その縦筋外周に帯筋を配して固定すると共に帯筋の内側に巾止筋を縦、横に所定間隔で配して固定し、それを一組の一段とする作業をして繰返し、高さ方向に所定間隔で組立てられる。【０００３】  そこで、その一組の巾止筋及び帯筋を縦筋に組立てる場合、地上で鉄筋を先組みする工法が知られ、本願出願人が出願した該先組みする工法で使用される仮組治具の仮組治具体が記載された仮組鉄筋ユニットの載せ換え移載による鉄筋施工方法がある。（例えば、特許文献１参照）【０００４】  また、既設の縦筋に正確な位置でフープ筋を一人で取付けるために使用する補助具のフープ筋取付用補助具がある。（例えば、特許文献２参照）【０００５】
【特許文献１】  ２００７年３月１５日同日提出の特許願
【特許文献２】  実開昭６３−１７７５１７号広報
【考案の開示】
【考案が解決しようとする課題】
【０００６】  上述した従来の特許文献１の仮組鉄筋ユニットの載せ換え移載による鉄筋施工方法で使用されている仮組治具体の支持受け金具は、上方に反転回動して仮組治具体の前面より出没可能に設けられると共に常に鉄筋を支持する出た状態にあり、この状態が、鉄筋仮組ユニットの載せ換え移載し、次の鉄筋を組立する時、支持させる直上の支持受け金具が突出しているため邪魔になり手間取っていた。【０００７】  つまり、仮組治具体の最下段の支持受け金具から順次、鉄筋を支持させ組上げて行くが、その鉄筋を支持受け金具に乗せて支持する時、作業員二人が上から鉄筋を挿入して支持受け金具に支持させる直上の支持受け金具が突出しているため邪魔になり手間取っていた。【０００８】  それはまた、耐震構造に組む鉄筋は、長い一本もので使用するため重量があり、例えば、Ｄ２５サイズでは４ｍの長さで１６Ｋｇ程度あり、二人の作業員で一旦、仮組治具体より上に持ち上げてから支持受け金具に載置するが、重量があるため簡単に出来ず、まして直上の支持受け金具が出ていると、いっそう載置させづらく解決策が望まれていた。【０００９】  また、従来の特許文献２の補助具のフープ筋取付用補助具は、既設縦筋に複数のフープ筋を予め通しておき、支持椀をはね上げて上位の支持椀から順にフープ筋を支持椀に置いて行くとしており、一人で出来る程度の重量と一種類のフープ筋を配列する組立に使用する補助具であって、重量物で、複雑に組合せる鉄筋組立では、該文献２の既設縦筋に対応する仮組治具に予め所用の鉄筋を通しておく事が出来ず、上述該文献１の作業のように、鉄筋を持上げ、上から挿入する作業では、突出する支持受け金具が作業の障害となっており、解決策が望まれていた。
【課題を解決するための手段】
【００１０】  本考案は、上記課題を有効に達成するために、第１の解決手段として、該支持受け金具が支持状態から回動して反転状態で保持できるように、仮組治具体又は支持受け金具の少なくともどちらか一方に任意に保持解除ができる保持手段を設けることで、移載治具により載せ換え移載した時、支持受け金具が反転保持でき、また支持受け金具を個別に支持状態に戻して容易に施工できる事としている。【００１１】  また、第２の解決手段は、保持手段を磁石とすることで、移載治具により載せ換え移載した時、支持受け金具が反転して磁石で保持される事としている。
【考案の効果】
【００１２】  本考案は、上述したそれぞれの手段によって有効な効果が得られるようにしたもので、特に、支持受け金具を回動可能に複数枢着した仮組治具体を所用数配設してなる仮組治具に於いて、該支持受け金具が支持状態から回動して反転状態で保持できるように、仮組治具体又は支持受け金具の少なくともどちらか一方に任意に保持解除ができる保持手段を設けた第１の解決手段により、
移載治具により載せ換え移載した時、持上げられた鉄筋により支持受け金具が反転し、その反転状態で保持されるので、仮組みする時の上部側の支持受け金具が邪魔にならず、耐震構造に組む鉄筋の組立でも仮組治具体の支持受け金具の最下段から順次、容易に組上げ施工ができ、鉄筋の仮組み施工の時間短縮が図れ、コストダウンとなる。【００１３】  また、保持手段を磁石とした第２の解決手段により、
移載治具により載せ換え移載した時、持上げられた鉄筋により支持受け金具が反転し、その時磁石により反転状態で保持されるので、仮組み持の仮組治具体の揺れや振動で支持受け金具が再び反転して突出することなく、そして必要時に突出させて鉄筋を支持する事が出来、上述の効果と共に鉄筋の仮組み施工の時間短縮が図れ、コストダウンとなる。
よって、本考案は、実用上著大な効果を奏する。
【考案を実施するための最良の形態】
【実施例】
【００１４】  本考案の実施例を図面に基づいて説明すると、図１において、１は仮組治具体で、該仮組治具体１は、支柱体ベース２を介して板で平面略Ｔ字状に形成して立設され、また所定間隔で支持受け金具３、３、…を図示では六カ所、仮組治具体１の前面より突出させて反転可能に枢着している。【００１５】  該支持受け金具３は、上述仮組治具体１の前面より突出させて支軸４により反転可能に枢着し、該突出する上部に後述する鉄筋ユニット５を支持する支持受け部６を凹設し、その反対の下部端に支持受け回動止部７を図３に示すように略Ｌ字状に折曲げ形成している。【００１６】  また、仮組治具体１の前面側であって、上述支持受け金具３が反転して支持受け回動止部７が該仮組治具体１の前面側に当接する位置に、仮組治具体１の前面より突出して鉄筋ユニット５の上昇を邪魔しないように、支持受け回動止部７が嵌り込む凹設部を設け、その凹設した位置に、支持受け回動止部７に対応した磁石の受け金具保持部８を設けている。【００１７】  而して、図２に示すように、施工される鉄筋の柱状構造物に対応した略四角状に組まれた支柱架台９に仮組治具体１、１、…を所用数、図示では八カ所立設し、該仮組治具体１、１、…のそれぞれの前面側を内側に向けて立設して仮組治具１０を構成している。【００１８】  その状態で、図３及び図４に示すように、該仮組治具体１、１、…の支持受け金具３、３、…に鉄筋ユニット５を掛け渡すように支持させ、本実施例の該鉄筋ユニット５は、図２に示すごとく外周に帯筋５ａ、５ａ、…と各辺に平行して配設される巾止筋５ｂ、５ｂ、…で構成される。【００１９】  また、この仮組みされた鉄筋ユニット５は、予め、がぶり厚を考慮して鉄筋ユニット５を仮組みできるように、支柱架台９に仮組治具体１、１、…を所定のがぶり厚に対応するように各配置して固定され、該仮組治具体１、１、…に鉄筋ユニット５が仮組みされる事で、がぶり厚が正確に設定された鉄筋ユニット５を得る事ができる。【００２０】  そして、帯筋５ａと巾止筋５ｂを組合せて、ユニット化された鉄筋ユニット５を一段として、図１に示す仮組治具体１の支持受け金具３に各段同様に図示では六段、組立可能に設けている。【００２１】  而して、ユニット化された鉄筋ユニット５を載せ換え移載する時、図５に示すように、仮組治具体１から移載治具体１１に載せ換え、該移載治具体１１の保持受け金具１２と保持押え金具１３で鉄筋ユニット５を確実に保持させた状態で図中の矢印のごとく該移載治具体１１を鉄筋ユニット５と共に上昇させると、図６に示す矢印のように、鉄筋ユニット５が支持受け金具３を押上げ、点線矢印で示すように該支持受け金具３を反転させて通過上昇し、その時、支持受け金具３の支持受け回動止部７が受け金具保持部８の磁石に吸着されて保持される。【００２２】  そして再び最初の工程から、仮組治具体１、１、…の反転保持された支持受け金具３、３、…を回動させて該仮組治具体１、１、…の前面より突出させ、該支持受け金具３、３、…に各仮組み配筋して鉄筋ユニット５を構成する。【００２３】  該鉄筋ユニット５は、外周側に帯筋５ａ、５ａ、…と各辺に平行して配設される巾止筋５ｂ、５ｂ、…で構成し、組立てる各段���に支持受け金具３、３、…を支持受け状態に回動させて組立、ユニット化する。【００２４】  以上のように、繰返しの作業で鉄筋がユニット化され、上述のごとく、鉄筋を仮組治具体１、１、…の反転保持された支持受け金具３、３、…の上から挿入して支持させる作業に、該支持受け金具３、３、…が反転保持されているので邪魔にならず、これは上述した耐震構造に組む鉄筋が、重量物で且つ二人の作業員が協調して作業する必要があることから、鉄筋を微妙にコントロールして支持させる事を極力少なくすることで作業が容易となり、また突出する該支持受け金具３、３、…が邪魔になら無い事が特に重要となる。【００２５】  なお、受け金具保持部８を磁石としているが粘着体又は面ファスナーなど一時的に保持するものであっても良いが図示は省略した。【００２６】  また、支持受け金具３の支軸より後方に該支持受け金具３が倒れるようにして反転保持するようにしても良いが、移載治具体１１により載せ換え移載した時の支持受け金具の反転が起らない事があり、その場合、手で反転させる事で使用しても好ましい。
【図面の簡単な説明】
【００２７】
【図１】  本考案の実施例の斜視図である。
【図２】  本考案の仮組治具の実施状態を示す平面図である。
【図３】  本考案の使用状態を示す要部の正面図である。
【図４】  本考案の使用状態を示す要部の側面図である。
【図５】  本考案の使用状態を示す要部の正面図である。
【図６】  本考案の使用状態を示す要部の側面図である。
【符号の説明】
【００２８】    １  仮組治具体
３  支持受け金具
５  鉄筋ユニット
６  支持受け部
７  支持受け回動止部
８  受け金具保持部
１０  仮組治具
【図１】
0003132735.tif 000003
【図２】
0003132735.tif 000004
【図３】
0003132735.tif 000005
【図４】
0003132735.tif 000006
【図５】
0003132735.tif 000007
【図６】
0003132735.tif 000008